(57)【要約】【課題】収容したビットが脱落しにくい電動工具を提供する。【解決手段】電動工具１は、モータ１１と、ビット取付部１２と、本体部１４と、ハンドル部１５と、ベース部３０と、ビット収容部６０と、を備える。ビット取付部１２はビット１８が取付可能である。本体部１４は、モータ１１を収納し、ビット取付部１２を有する。ハンドル部１５は、本体部１４より延びている。ベース部３０は、ハンドル部１５に設けられ、電池パック３１をスライドさせて装着可能である。ビット収容部６０は、ビット１８が収容可能である。ビット収容部６０は、ベース部３０と、ベース部３０に装着された電池パック３１と、の間の空間を含む。ビット収容部６０に収容されたビット１８は軸方向Ｇが電池パック３１のスライド方向Ｓに沿って配置される。【選択図】図１
2020163541.tif 000002
【特許請求の範囲】
【請求項１】
モータと、
ビットが取付可能なビット取付部と、
前記モータを収納し、前記ビット取付部を有する本体部と、
前記本体部より延びているハンドル部と、
前記ハンドル部に設けられ、電池パックをスライドさせて装着可能なベース部と、
前記ビットが収容可能なビット収容部と、を備え
前記ビット収容部は、前記ベース部と、前記ベース部に装着された前記電池パックと、の間の空間を含み、
前記ビット収容部に収容された前記ビットは軸方向が前記電池パックのスライド方向に沿って配置される、
電動工具。
【請求項２】
前記ビット収容部に収容された前記ビットは、前記ベース部と、前記ベース部に装着された前記電池パックと、の間の空間に配置され、
前記ビット収容部の蓋体を前記電池パックのスライド方向に移動自在に更に備える、
請求項１に記載の電動工具。
【請求項３】
前記ベース部に装着された前記電池パックが前記蓋体である、
請求項２に記載の電動工具。
【請求項４】
前記ビット収容部の外方にカバー片を更に備え、
前記カバー片は、前記ビット収容部に収容された前記ビットが見える窓部を有する、
請求項１〜３のいずれか１項に記載の電動工具。
【請求項５】
前記ビット収容部に収容された前記ビットは、前記ベース部から前記電池パックの方に向かう方向で前記ビット収容部から取り出される、
請求項１〜４のいずれか１項に記載の電動工具。
【請求項６】
前記ビット収容部に前記ビットを保持する保持具を更に備える、
請求項１〜５のいずれか１項に記載の電動工具。
【請求項７】
前記ビット収容部に収容された前記ビットが前記電池パックのスライド方向に移動するのを制限する引っ掛け片を更に備える、
請求項１〜６のいずれか１項に記載の電動工具。
【請求項８】
前記引っ掛け片は前記ビットの括れ部に引っ掛かる、
請求項７に記載の電動工具。
【請求項９】
前記ビット収容部に収容された前記ビットが、前記電池パックのスライド方向において、前記ビット収容部から飛び出すのを制限する壁部を更に備える、
請求項１〜８のいずれか１項に記載の電動工具。
【請求項１０】
前記ビット収容部は左右方向の両側に設けられている、
請求項１〜９のいずれか１項に記載の電動工具。
【発明の詳細な説明】
【技術分野】
【０００１】
本開示は、一般に電動工具に関し、より詳細には、電池パックを備える電動工具に関する。
【背景技術】
【０００２】
特許文献１には、取り外し可能な物体センサを備えた手持ち工具が記載されている。この工具は、ハウジングと、取付部材と、取付部材から取り外し可能な物体センサと、を備えている。また工具は、有用な物体を収容するために用いられるトレイを備えている。トレイには、例えば、ドリルビット、ねじ（スクリュ）、及び、それらに類似するものが収容される。
【先行技術文献】
【特許文献】
【０００３】
【特許文献１】特表２００５−５０９５３５号公報
【発明の概要】
【発明が解決しようとする課題】
【０００４】
しかし、特許文献１の工具では、ドリルビットが外部に露出した状態でトレイに収容されているため、作業中にドリルビットが周囲の物体に当たって不用意な衝撃を受けることがあり、ドリルビットが脱落しやすい、という問題があった。
【０００５】
本開示は、上記事由に鑑みてなされており、収容したビットが脱落しにくい電動工具を提供することを目的とする。
【課題を解決するための手段】
【０００６】
本開示の一態様に係る電動工具は、モータと、ビット取付部と、本体部と、ハンドル部と、ベース部と、ビット収容部と、を備える。ビット取付部はビットが取付可能である。本体部は、モータを収納し、ビット取付部を有する。ハンドル部は、本体部より延びている。ベース部は、ハンドル部に設けられ、電池パックをスライドさせて装着可能である。ビット収容部は、ビットが収容可能である。ビット収容部は、ベース部と、ベース部に装着された電池パックと、の間の空間を含む。ビット収容部に収容されたビットは軸方向が電池パックのスライド方向に沿って配置される。
【発明の効果】
【０００７】
本開示によれば、収容したビットが脱落しにくい、という利点がある。
【図面の簡単な説明】
【０００８】
【図１】図１は、本開示に係る電動工具の一実施形態を示す側面図である。
【図２】図２は、本開示に係る電動工具の一実施形態を示す正面図である。
【図３】図３は、本開示に係る電動工具の一実施形態を示す下方から見た斜視図である。
【図４】図４は、本開示に係る電動工具の一実施形態を示す電池パックの斜視図である。
【図５】図５は、本開示に係る電動工具の一実施形態を示す側面図である。
【図６】図６は、本開示に係る電動工具の一実施形態を示す下方から見た斜視図である。
【発明を実施するための形態】
【０００９】
（実施形態）
図１及び図２に示すように、本実施形態に係る電動工具１は、モータ１１と、ビット取付部１２と、本体部１４と、ハンドル部１５と、ベース部３０と、ビット収容部６０と、を備える。すなわち、モータ１１と、本体部１４と、ハンドル部１５と、ベース部３０と、ビット収容部６０は、電動工具１の構成要素である。電動工具１は、更に、モータ１１及び動力伝達部１３の動作を制御する制御部を備える。
【００１０】
ビット取付部１２はビット１８が取付可能である。すなわち、本実施形態に係る電動工具１は、ビット（先端工具）１８を取り付けるためのビット取付部１２を備える。ビット取付部１２に装着可能なビット１８は、ドライバービット、タップ及びドリルビットなどである。そして、モータ１１の軸部１１１が回転すると、動力伝達部１３が駆動され、動力伝達部１３の駆動により出力軸１３１が回転する。出力軸１３１の回転によりビット取付部１２が回転し、これにより、ビット取付部１２に装着された先端工具がビット取付部１２の回転により回転する。
【００１１】
本体部１４は、モータ１１を収納し、ビット取付部１２を有する。すなわち、モータ１１は本体部１４の内部に収納されている。またビット取付部１２は本体部１４の先端に設けられている。本体部１４は前後方向に延びる筒状に形成されている。本体部１４は、モータ１１及び動力伝達部１３とを収納している。すなわち、本体部１４の内部には、電池パック３１の電池セルによって駆動されるモータ１１及び動力伝達部１３が配置されている。
【００１２】
ハンドル部１５は、本体部１４より延びている。つまり、ハンドル部１５は、本体部１４より下方向に延びている。ハンドル部１５は、本体部１４の周面のうち下側から上下方向に沿って突出している。
【００１３】
ベース部３０は、ハンドル部１５に設けられ、電池パック３１をスライドさせて装着可能である。すなわち、本実施形態に係る電動工具１は、ハンドル部１５の下端にベース部３０を備える。またベース部３０には、電池パック３１が前後方向にスライド移動させて取り付け又は取り外し可能に形成されている。ベース部３０は、下面が開口した箱状に形成されている。ベース部３０の下面には、電池パック３１に設けた通信用コネクタ３２と接続されるコネクタ部８１が設けられている。またベース部３０の下面には、電池パック３１に設けた端子部３３と電気的に接続される端子片８２が設けられている。さらにベース部３０の下面には、電池パック３１に設けた係合部３４と引っ掛けられる複数の結合部８０が設けられている。
【００１４】
なお、本実施形態では、モータ１１の軸部１１１の軸方向を電動工具１の前後方向として説明する。また本実施形態では、前後方向と直交し、本体部１４からのハンドル部１５の突出方向に沿った方向を上下方向として説明する。また本実施形態では、前後方向及び上下方向と直交する電動工具１の幅方向を左右方向として説明する。
【００１５】
動力伝達部１３は、モータ１１によって駆動される。すなわち、動力伝達部１３は、モータ１１の回転を利用して先端工具を回転駆動する。つまり、動力伝達部１３は、モータ１１の回転駆動を出力軸１３１に伝達する機構を有する。本実施形態に係る電動工具１では、動力伝達部１３は、減速機構、クラッチ機構、インパクト機構等を含んでいてもよい。動力伝達部１３はモータ１１の軸部１１１と連結されている。また動力伝達部１３は出力軸１３１と連結されている。出力軸１３１は本体部１４の前側に露出されるビット取付部１２と連結されている。
【００１６】
トリガスイッチ１６は、ハンドル部１５の上部前方に配置されている。すなわち、トリガスイッチ１６は、ハンドル部１５の上部で前部に設けられている。トリガスイッチ１６は一部がハンドル部１５の内部に引き込む手動操作を受け付ける。トリガスイッチ１６は、例えば、メカニカルスイッチである。トリガスイッチ１６は、手動操作がされると開閉する。
【００１７】
正逆切替部５１は、使用者が操作可能でモータ１１の正転と逆転とを切り替えるスライドスイッチを含む。すなわち、使用者は正逆切替部５１を操作することによりモータ１１の回転方向を切り替えることができる。正逆切替部５１は本体部１４の下部で、トリガスイッチ１６の後方に設けられている。正逆切替部５１は左右方向にスライドするように移動自在に形成されている。正逆切替部５１は、電動工具１を前方から見たときに、本体部１４の左右のいずれか一方の側面に突出する状態と、本体部１４の左右のいずれか他方の側面に突出する状態との間でスライド移動する。
【００１８】
複数の発光部１７は、トリガスイッチ１６と本体部１４との間に位置する。すなわち、トリガスイッチ１６と本体部１４との間で挟まれて複数の発光部１７は位置している。複数の発光部１７は、トリガスイッチ１６の直ぐ上側に位置し、かつ本体部１４の直ぐ下側に位置する。
【００１９】
本実施形態に係る電動工具１には、ベース部３０の下面に対して、充電式の電池パック３１が着脱可能に取り付けられる。電動工具１は、電池パック３１を電源として動作する。電池パック３１は、複数の二次電池（例えば、リチウムイオン電池）を直列接続して構成された組電池と、組電池を収容したケースと、を備えている。
【００２０】
図４に示すように、電池パック３１は、電池パック３１の情報を示す電池情報を通信するための、通信用コネクタ３２を備える。通信用コネクタ３２はベース部３０の下面に設けたコネクタ部８１と電気的に接続される。電池情報には、例えば、温度情報、残容量情報、定格電圧情報、定格容量情報、回数情報等が含まれる。また電池パック３１の上面にはベース部３０に設けた端子片８２と電気的に接続される端子部３３が設けられている。また電池パック３１の上面にはベース部３０に設けた結合部８０と引っ掛け可能な複数の係合部３４が設けられている。また電池パック３１には左右方向に張り出す張出し部３１０が形成されている。
【００２１】
図３に示すように、ビット収容部６０は、ビット１８が収容可能である。すなわち、ビット収容部６０は、ビット取付部１２に着脱可能なビット１８が収容可能である。つまり、ビット収容部６０はビット１８が収容可能な容積を有する空間である。ビット収容部６０の前後方向の寸法は、ビット１８の軸方向Ｇの寸法よりも長い。ビット収容部６０の左右方向の寸法（幅）は、ビット１８の直径よりも大きい。
【００２２】
本実施形態に係る電動工具１は、ビット収容部６０に収容されたビット１８が、ベース部３０から電池パック３１の方に向かう方向でビット収容部６０から取り出される。すなわち、ビット収容部６０は、ベース部３０側が閉じられており、電池パック３１側が開放されている。そして、ベース部３０から電池パック３１を外した状態で、ビット収容部６０に収容されたビット１８が電池パック３１側から取り出される。またビット１８は、ベース部３０から電池パック３１を外した状態で、電池パック３１側からビット収容部６０に収容される。ビット収容部６０は下方が開放されている。したがって、ビット収容部６０には下方からビット１８を収容することができる。またビット収容部６０には下方からビット１８を収容することができる。
【００２３】
本実施形態に係る電動工具１は、ビット収容部６０が、ベース部３０と、ベース部３０に装着された電池パック３１と、の間の空間を含む。すなわち、ビット収容部６０は、ベース部３０の下方に形成されている。またビット収容部６０は、ベース部３０に電池パック３１を取り付けたときに、電池パック３１の上方に位置する。特に、ビット収容部６０は、ベース部３０の左右方向の端部である突出部３０１の下方に位置している。突出部３０１はハンドル部１５よりも左右方向に突出している。突出部３０１は、ベース部３０に内蔵されている制御部を構成する回路基板が大きくなったために形成されている。すなわち、電動工具１の機能が向上すると、それを制御する制御部の回路基板も、回路数の増加などで大きくなるが、大きくなった回路基板を収容するために突出部３０１が形成されている。したがって、本実施形態に係る電動工具１では、突出部３０１の下方の空間を有効利用することができる。またビット収容部６０は、ベース部３０に装着した電池パック３１の張出し部３１０の上方に位置している。
【００２４】
本実施形態に係る電動工具１は、ビット収容部６０に収容されたビット１８が、ベース部３０と、ベース部３０に装着された電池パック３１と、の間の空間に配置される。すなわち、ビット収容部６０はベース部３０と電池パック３１との間にビット１８を収容する。ベース部３０と、ベース部３０に装着された電池パック３１との間の空間は、従来、利用されていない。本実施形態に係る電動工具１では、従来利用されていない空間にビット１８を収容して有効利用する。
【００２５】
本実施形態に係る電動工具１は、ビット収容部６０が左右方向の両側に設けられている。すなわち、ビット収容部６０は、電動工具１を正面視した状態で、ハンドル部１５の左側と右側にそれぞれ設けられている。これにより、ビット収容部６０が左右方向のいずれか片側に設けられる場合に比べて、有効利用される空間が増加する。すなわち、電動工具１は、左右方向の両側でビット１８を収容することができ、ビット１８の収容効率が向上する。
【００２６】
本実施形態に係る電動工具１は、ビット収容部６０に収容されたビット１８が軸方向Ｇが電池パック３１のスライド方向Ｓに沿って配置される。すなわち、ビット収容部６０に収容されたビット１８において、ビット１８の軸方向Ｇと電池パック３１のベース部３０に対するスライド方向Ｓとが一致する。電池パック３１はベース部３０に取り付け又は取り外しする場合、電池パック３１をベース部３０に対して前後方向にスライド移動させる。一方、ビット１８はビット収容部６０に収容された状態で、前後方向が軸方向Ｇとなっている。この場合、図５及び図６に示すように、電池パック３１をベース部３０から外さずに少し（半分程度）スライド移動させた状態でビット１８の有無及びビット１８の種類などが確認可能である。すなわち、電池パック３１を前方向にスライドさせると、ビット収容部６０の下方から収容されたビット１８が確認できる。
【００２７】
本実施形態に係る電動工具１は、ビット収容部６０の蓋体６１を電池パック３１のスライド方向Ｓに移動自在に更に備える。すなわち、電動工具１は、ビット収容部６０からのビット１８を脱落しにくくするための蓋体６１が設けられている。この蓋体６１は電池パック３１をベース部３０に装着又は外す際に移動させるスライド方向Ｓと同じ方向に移動可能である。なお、スライド方向Ｓは電動工具１の姿勢によって異なるが、通常、水平方向にすることができる。
【００２８】
本実施形態に係る電動工具１は、ベース部３０に装着された電池パック３１が蓋体６１である。すなわち、電動工具１では電池パック３１が蓋体６１として用いられている。つまり、ビット収容部６０からのビット１８を脱落しにくくするための蓋体６１と、電池パック３１とを兼用している。これにより、電池パック３１とは別に蓋体が必要でなく、部品点数を少なくすることができる。ビット収容部６０に収容されたビット１８の下方には、電池パック３１の張出し部３１０が位置している。電池パック３１をベース部３０の下面に取り付けた場合に、張出し部３１０がビット収容部６０に収容されたビット１８の直ぐ下に位置している。
【００２９】
本実施形態に係る電動工具１は、ビット収容部６０の外方にカバー片６２を更に備える。すなわち、ビット収容部６０は、カバー片６２により、側方が覆われている。カバー片６２により、ビット収容部６０に収容されたビット１８に衝撃が加わりにくくなり、ビット１８がビット収容部６０から脱落しにくい。つまり、カバー片６２により、ビット収容部６０に収容されたビット１８が保護されて、外部からの衝撃が直接、ビット１８に当たりにくくなる。ビット収容部６０の前側はカバー片６２では覆われておらず、開放されており、電動工具１の前方からビット収容部６０内が見えて、ビット１８の有無が確認可能である。
【００３０】
カバー片６２は、ビット収容部６０に収容されたビット１８が見える窓部６３を有する。すなわち、カバー片６２にはビット収容部６０にビット１８が収容されているか否かの確認が可能な窓部６３が形成されている。窓部６３はカバー片６２の一部を切り欠いて形成することができる。切り欠きにより形成される窓部６３は、ビット１８をビット収容部６０から取り出す際に、指を入れる部分として利用することができ、ビット１８の取り出しが容易に行える。
【００３１】
本実施形態に係る電動工具１は、ビット収容部６０にビット１８を保持する保持具６４を更に備える。すなわち、ビット１８、保持具６４によりビット収容部６０内で保持される。保持具６４は金属製の板バネで形成することができる。ビット１８は保持具６４により軸方向Ｇと直交する方向の両側から挟まれる。すなわち、ビット１８は保持具６４により直径方向に挟まれる。ビット１８は、保持具６４により、ビット収容部６０内で保持されてガタつくことが少なくなる。またビット１８は、保持具６４により、ビット収容部６０内で保持されて脱落しにくくなる。
【００３２】
本実施形態に係る電動工具１は、ビット収容部６０に収容されたビット１８が電池パック３１のスライド方向Ｓに移動するのを制限する引っ掛け片６５、６６，６７を更に備える。すなわち、複数の引っ掛け片６５〜６７により、ビット収容部６０に収容されたビット１８が、前後方向に移動するのを少なくしている。引っ掛け片６５、６６，６７は、スライド方向Ｓに所定の間隔を介して並べて配置されている。引っ掛け片６５、６６，６７は、ビット収容部６０に収容されたビット１８の外周面に沿うように配置さている。
【００３３】
本実施形態に係る電動工具１は、引っ掛け片６５がビット１８の括れ部１８１に引っ掛かる。すなわち、複数の引っ掛け片６５〜６７のうち、一つの引っ掛け片６５はビット１８の括れ部１８１に引っ掛かる。この場合、ビット１８は括れ部１８１を有するトーションビットである。括れ部１８１はビット１８の他の部分に比べて直径が小さくなっている部分であり、括れ部１８１はビット１８の他の部分よりも凹んでいる。引っ掛け片６５は括れ部１８１の外周に沿うようなＵ字形に形成されている。他の引っ掛け片６６，６７は括れ部１８１以外のビット１８の外周（例えば、断面６角形）に沿うような形状に形成されている。
【００３４】
本実施形態に係る電動工具１は、ビット収容部６０に収容されたビット１８が、電池パック３１のスライド方向Ｓにおいて、ビット収容部６０から飛び出すのを制限する壁部６８を更に備える。すなわち、壁部６８は、ビット収容部６０に収容されたビット１８が、電池パック３１のスライド方向Ｓにおいてビット収容部６０から飛び出すのを制限している。壁部６８はビット収容部６０の後方に位置している。すなわち、ビット収容部６０に収容したビット１８よりも、ハンドル部１５を持っている作業者が居る方に、壁部６８が形成されている。したがって、ビット収容部６０に収容したビット１８が後方に移動しても壁部６８に当たってビット収容部６０から飛び出しにくい。よって、作業者の安全性が高まる。
【００３５】
（変形例）
実施形態１は、本開示の様々な実施形態の一つに過ぎない。実施形態１は、本開示の目的を達成できれば、設計等に応じて種々の変更が可能である。
【００３６】
上記では、ビット１８を保持する保持具６４として板バネを用いたが、これに限定されてい。保持具６４としては、ビット１８をビット収容部６０に保持できる手段であればよく、例えば、マグネットを保持具６４として使用することができる。この場合、ビット１８が板バネで挟みにくい形状であっても、磁力により、ビット１８をビット収容部６０に保持することができる。
【００３７】
また保持具６４の材質は特に限定されず、鋼などの金属製であってもよいし、ゴム製又はプラスチック製であってもよい。
【００３８】
またビット収容部６０は、複数のビット１８を収容できるような容積に形成してもよい。またビット収容部６０には、ビット１８の他に、ねじなどの部品を収容してもよい。
【００３９】
（まとめ）
以上説明したように、第１の態様に係る電動工具（１）は、モータ（１１）と、ビット取付部（１２）と、本体部（１４）と、ハンドル部（１５）と、ベース部（３０）と、ビット収容部（６０）と、を備える。ビット取付部（１２）はビット（１８）が取付可能である。本体部（１４）は、モータ（１１）を収納し、ビット取付部（１２）を有する。ハンドル部（１５）は、本体部（１４）より延びている。ベース部（３０）は、ハンドル部（１５）に設けられ、電池パック（３１）をスライドさせて装着可能である。ビット収容部（６０）は、ビット（１８）が収容可能である。ビット収容部（６０）は、ベース部（３０）と、ベース部（３０）に装着された電池パック（３１）と、の間の空間を含む。ビット収容部（６０）に収容されたビット（１８）は軸方向（Ｇ）が電池パック（３１）のスライド方向（Ｓ）に沿って配置される。
【００４０】
この態様によれば、ビット収容部（６０）に収容したビット（１８）は、ベース部（３０）と電池パック（３１）との間に配置されるため、ビット収容部（６０）に収容したビット（１８）には、外部から衝撃が加わりにくい。よって、収容したビットが脱落しにくい、という利点がある。
【００４１】
第２の態様に係る電動工具（１）は、第１の態様において、ビット収容部（６０）に収容されたビット（１８）は、ベース部（３０）と、ベース部（３０）に装着された電池パック（３１）と、の間の空間に配置される。ビット収容部（６０）の蓋体（６１）を電池パック（３１）のスライド方向（Ｓ）に移動自在に更に備える。
【００４２】
この態様によれば、ビット（１８）が収容されているかどうかを確認するときに、蓋体（６１）を少しスライドさせるだけでよく、確認時にビット（１８）が抜け落ちて落下することが少なくなって使用者にビット（１８）が当たったり、ビット（１８）が欠けたりする不具合が生じにくい、という利点がある。
【００４３】
第３の態様に係る電動工具（１）は、第２の態様において、ベース部（３０）に装着された電池パック（３１）が蓋体（６１）である。
【００４４】
この態様によれば、電池パック（３１）で蓋体（６１）を兼用することにより、構造的に簡略化でき、かつ部品点数を削減することができる、という利点がある。
【００４５】
第４の態様に係る電動工具（１）は、第１〜３のいずれか１つの態様において、ビット収容部（６０）の外方にカバー片（６２）を更に備える。カバー片（６２）は、ビット収容部（６０）に収容されたビット（１８）が見える窓部（６３）を有する。
【００４６】
この態様によれば、窓部（６３）からビット収容部（６０）に収容されたビット（１８）を確認することができ、ビット（１８）の有無の確認及びビット（１８）の種類の確認が容易に行える、という利点がある。
【００４７】
第５の態様に係る電動工具（１）は、第１〜４のいずれか１つの態様において、ビット収容部（６０）に収容されたビット（１８）が、ベース部（３０）から電池パック（３１）の方に向かう方向でビット収容部（６０）から取り出される。
【００４８】
この態様によれば、ビット収容部（６０）に収容されたビット（１８）は、ベース部（３０）と反対方向に移動させて取り出すことができ、ベース部（３０）が邪魔にならずに取り出しやすい、という利点がある。
【００４９】
第６の態様に係る電動工具（１）は、第１〜５のいずれか１つの態様において、ビット収容部（６０）にビット（１８）を保持する保持具（６４）を更に備える。
【００５０】
この態様によれば、保持具（６４）によりビット収容部（６０）にビット（１８）を保持することができ、収容したビットが脱落しにくい、という利点がある。
【００５１】
第７の態様に係る電動工具（１）は、第１〜６のいずれか１つの態様において、ビット収容部（６０）に収容されたビット（１８）が電池パック（３１）のスライド方向（Ｓ）に移動するのを制限する引っ掛け片（６５〜６７）を更に備える。
【００５２】
この態様によれば、ビット収容部（６０）に収容されたビット（１８）に引っ掛け片（６５）〜（６７）が引っ掛かってビット（１８）が移動しにくくなり、ビット（１８）がビット収容部（６０）から脱落しにくくなる、という利点がある。
【００５３】
第８の態様に係る電動工具（１）は、第７の態様において、引っ掛け片（６５）がビット（１８）の括れ部（１８１）に引っ掛かる。
【００５４】
この態様によれば、括れ部（１８１）に引っ掛かる引っ掛け片（６５）により、ビット（１８）がスライド方向（Ｓ）に移動しにくくなり、ビット（１８）がビット収容部（６０）から脱落しにくくなる、という利点がある。
【００５５】
第９の態様に係る電動工具（１）は、第１〜８のいずれか１つの態様において、ビット収容部（６０）に収容されたビット（１８）が、電池パック（３１）のスライド方向Ｓにおいて、ビット収容部（６０）から飛び出すのを制限する壁部（６８）を更に備える。
【００５６】
この態様によれば、壁部（６８）により、ビット収容部（６０）からビット（１８）が飛び出しにくくすることができ、安全性が向上する、という利点がある。
【００５７】
第１０の態様に係る電動工具（１）は、第１〜９のいずれか１つの態様において、ビット収容部（６０）が左右方向の両側に設けられている。
【００５８】
この態様によれば、有効利用される空間を増すことができる、という利点がある。
【符号の説明】
【００５９】
１  電動工具
１１  モータ
１２  ビット取付部
１４  本体部
１５  ハンドル部
１８  ビット
１８１  括れ部
３１  電池パック
３０  ベース部
６０  ビット収容部
６１  蓋体
６２  カバー片
６４  保持具
６５  引っ掛け片
６６  引っ掛け片
６７  引っ掛け片
６８  壁部
Ｇ  軸方向
Ｓ  スライド方向
【図１】
2020163541.tif 000003
【図２】
2020163541.tif 000004
【図３】
2020163541.tif 000005
【図４】
2020163541.tif 000006
【図５】
2020163541.tif 000007
【図６】
2020163541.tif 000008